(57)【要約】【課題】  多種多様な記録媒体に対して、１台の画像形成装置で、高速で、かつブリーディングやビーディングの生じていない高画質な画像を形成する画像形成方法および画像形成装置を提供すること。【解決手段】  （Ａ）中間転写体あるいは搬送体として機能するドラム１により搬送される記録媒体１１に対して記録ヘッド３３によって着色インクを吐出することによって画像を形成する第１画像形成モードと、（Ｂ）前記ドラム１の表面に対して、着色インクの色材を凝集させる材料（反応液２９）を塗布し、その塗布された領域の少なくとも一部に対して、記録ヘッドによって着色インクを吐出することによってインク像を形成し、そのインク像を転写部６にて記録媒体１１へ転写する第２画像形成モードとを含む複数の画像形成モードの内、画像形成に使用する１つの画像形成モードを選択し、その選択されたモードに従って画像形成を行う。【選択図】  図１
2005153188.tif 000002
【特許請求の範囲】
【請求項１】
（Ａ）担持体に支持された記録媒体に対して、記録ヘッドにより着色インクを吐出することによって画像を形成する工程を有する第１画像形成モードと、（Ｂ）前記担持体表面に対して、着色インクの色材を凝集させる材料を塗布する塗布工程と、前記材料が塗布された担持体に、前記記録ヘッドによって着色インクを吐出することによってインク像を形成する工程と、前記担持体に形成されたインク像を記録媒体へ転写する転写工程とを有する第２画像形成モードとを含む複数の画像形成モードの内、画像形成に使用する１つの画像形成モードを選択する工程と、
前記選択された画像形成モードに従って画像形成を行う工程と
を有することを特徴とする画像形成方法。
【請求項２】
中間転写体および搬送体としての機能を有する担持体により搬送される記録媒体に対して、記録ヘッドにより着色インクを吐出することによって画像を形成する工程を有する第１画像形成モードを実行する工程と、
（ａ）前記担持体の表面に対して、着色インクの流動性を低下させるための材料を塗布する工程と、（ｂ）前記材料が塗布された担持体に、前記記録ヘッドによって着色インクを吐出することによってインク像を形成する工程と、（ｃ）前記担持体に形成されたインク像を記録媒体へ転写する転写工程とを有する第２画像形成モードを実行する工程とを有し、
前記第１画像形成モードを実行する場合と前記第２画像形成モードを実行する場合とで前記記録媒体の搬送経路を異ならせて画像形成を行うことを特徴とする画像形成方法。
【請求項３】
前記第１画像形成モードは、前記記録媒体に対する着色インクの吐出に先立って、当該着色インクの色材を凝集させる材料を前記記録媒体に付与する材料付与工程をさらに有することを特徴とする請求項１または２記載の画像形成方法。
【請求項４】
記録媒体の種類に応じて、前記材料付与工程の実行の有無が決定されることを特徴とする請求項３記載の画像形成方法。
【請求項５】
前記第１画像形成モードを行う場合は、記録媒体と前記担持体の吸着・分離制御を行う分離手段が駆動することによって記録媒体を前記担持体に吸着させるように搬送経路を制御し、前記記録媒体に画像形成がされると、該記録媒体を前記担持体から分離する制御を行い、前記第２画像形成モードを行う場合は、前記転写工程後の記録媒体を前記担持体から分離する制御を行う分離工程をさらに有することを特徴とする請求項１乃至４のいずれかに記載の画像形成方法。
【請求項６】
記録媒体の表面の粗さ（凹凸性）を検知する表面粗さ検知工程をさらに有し、
前記選択工程では、該検知結果に基づいて、前記第１画像形成モードおよび前記第２画像形成モードのいずれか一方を選択することを特徴とする請求項１乃至５のいずれかに記載の画像形成方法。
【請求項７】
前記材料は、少なくとも多価金属塩を含む液体であることを特徴とする請求項１乃至６のいずれかに記載の画像形成方法。
【請求項８】
回転する担持体と、
着色インクの流動性を低下させるための材料を前記担持体に支持された記録媒体または前記担持体に対して塗布する塗布手段と、
前記材料が塗布された前記記録媒体または前記担持体に対して、記録ヘッドから着色インクを吐出することによって、前記記録媒体上に画像または前記担持体上にインク像を形成する形成手段と、
前記担持体上に形成されたインク像を記録媒体へ転写する転写手段とを備え、
前記担持体に支持された記録媒体に対して、少なくとも前記形成手段によってインクを付与して画像形成を行う直接記録動作、および、前記担持体に対して、前記塗布手段によって前記材料を塗布し、該材料が塗布された担持体に前記形成手段によってインクを付与して前記インク像を形成し、該インク像を記録媒体に転写する転写記録動作を実行可能であることを特徴とする画像形成装置。
【請求項９】
回転する担持体と、
前記担持体に記録媒体を吸着させる吸着手段と、
前記担持体の表面に沿って配され、着色インクの色材を凝集させるための材料を前記吸着された記録媒体または前記担持体に対して塗布する塗布手段と、
前記担持体の表面に沿って配され、前記材料が塗布された前記記録媒体または前記担持体に対して、記録ヘッドから着色インクを吐出することによって、前記記録媒体上に画像または前記担持体上にインク像を形成する形成手段と、
前記担持体の表面に沿って配され、前記担持体上に形成されたインク像を記録媒体へ転写する転写手段と、
前記担持体に吸着された記録媒体に対して、少なくとも前記形成手段によって画像形成を直接行う直接記録動作、または、前記担持体に対して、前記塗布手段によって前記材料を塗布し、該材料が塗布された領域の少なくとも一部に前記形成手段によって前記インク像を形成し、該インク像を記録媒体に転写する転写記録動作に対応して、前記記録媒体の搬送経路を切替える切替え手段とを
備えることを特徴とする画像形成装置。
【請求項１０】
（Ａ）担持体に支持された記録媒体に対して、記録ヘッドにより着色インクを吐出することによって画像を形成する工程を有する第１画像形成モードと、（Ｂ）前記担持体の表面に対して、着色インクの色材を凝集させる材料を塗布する塗布工程と、前記材料が塗布された担持体に、前記記録ヘッドによって着色インクを吐出することによってインク像を形成する工程と、前記担持体に形成されたインク像を記録媒体へ転写する転写工程とを有する第２画像形成モードとを含む複数の画像形成モードを実行可能であり、
前記複数の画像形成モードのうち、選択された１つの画像形成モードに従って画像形成を行うことを特徴とする画像形成装置。
【発明の詳細な説明】
【技術分野】
【０００１】
本発明は、画像形成方法および画像形成装置に関し、より詳細には、記録媒体のインク吸収特性および表面特性（例えば、記録媒体の表面粗さ、凹凸性等）に応じて適切に画像形成を行うことができる画像形成方法および画像形成装置に関する。
【背景技術】
【０００２】
現在、コンピュータによって作成された画像、印刷物の複写画像、ＦＡＸ画像等を、ユーザの要求に従って記録し出力する画像形成装置の記録方式として、インクジェット記録方式、電子写真方式、サーマルヘッド方式、ドットインパクト方式等が利用されている。
【０００３】
これらの方式の中で、インクジェット記録方式は、インクを紙、布、プラスチックシート等の被プリント材（本明細書では、「記録媒体」とも呼ぶ）上に直接吐出して文字、画像等をプリントする低騒音のプリント方式である。この方式は複雑な装置を必要としないため、ランニングコストが低く、装置の小型化やカラー化が容易であること、カードから大版のポスターなど記録媒体サイズに対して自由度がある等の利点を有している。また、画像品位においても銀塩カラー写真と同等の画像を出力が可能である。インクジェット方式の記録装置は、以上のような利点を有していることから、主にコンピュータに接続されるプリンタばかりでなく、ファクシミリ、複写機等に、産業分野でもカード印刷、パッケージ印刷や大判のポスター作成等にも多く使用されている。
【０００４】
最近の動向として、上述のようなインクジェット用記録媒体以外の記録媒体や凹凸のある記録媒体にも高品位画像を出力したいという要望がある。例えば、その要望の対象となる記録媒体として、PET（ポリエチレンテレフタレート）、ポリエチレン等のプラスチックのように表面が平滑でインクを吸収しない媒体やインクの吸収性の少ない印刷用アート紙・印刷用コート紙（インク吸収性が低い、または無い記録媒体）等やボンド紙・エンボス加工紙（表面が粗い（凹凸している）記録媒体）等が挙げられる。しかし、従来からのインクジェット記録方法では、上述のような多種多様な記録媒体に高画質な記録を行うことができなかった。
【０００５】
特に、これら記録媒体に対してインクジェット記録を行うと、記録媒体のインク浸透性が低く濡れ性が低い場合は、記録媒体上で“はじき”を生じ、さらに“はじき“と同時にインクドットが集合し「ビーディング」と呼ばれる現象を生じることで色ムラになる。また、重なりあった色の境界部分で互いの色がにじみでる「ブリーディング」呼ばれる現象が生じたりして良好な画像を形成することが困難であった。
【０００６】
インク浸透性が低く、かつ表面が粗い（凹凸している）記録媒体に対してインクジェット記録を行うと、インクが凹部に流れ込み、「ビーディング」や「ブリーディング」現象を引き起こし、良好な画像を得ることが困難であった。特に高速で画像を形成した場合には、一点に多くのインクを短時間に打ち込むため記録媒体上でのインクの乾燥が遅くなり、これらの問題はさらに顕著となる。
【０００７】
上述の課題を解決するため、特許文献１では、記録媒体に対して、インクと迅速に反応しインクを凝集させる液体（本明細書では、「反応液」とも呼ぶ）をローラ等で塗布または反応液吐出用記録ヘッドによって付与し、その記録媒体上に、インクジェット記録ヘッドによって着色インクを吐出して画像を形成する方法が提案されている。このように、反応液とインクとを用いてインクジェット記録を行うと、反応液に接触したインクの凝集力が高まるため、ビーディングやブリーディングが発生しない画像を形成することができる。従って、インクと反応液とを反応させる方法（本明細書では、「反応型記録方法」とも呼ぶ）は、数多く提案されている。
【０００８】
反応型記録方法においては、記録媒体に対して記録ヘッドから着色インクおよび反応液を吐出することによって記録を行う直接記録（非接触記録）であるため、記録媒体の表面が凹凸であっても、凹部および凸部に対して満遍なくインクが付与されるので、良質な画像を形成することができる。
【０００９】
しかしながら、反応型記録方法ではインク吸収性がほとんど無い記録媒体の場合、その記録媒体のインク吸収性によりインクはほとんど浸透せず、インク中の溶剤の除去は、その蒸発に依存しなければならず、形成された画像の定着に時間を要した。
【００１０】
定着速度の向上という課題に対しより好ましい方法として、中間転写体を用いた方法（本明細書では、「転写記録方法」とも呼ぶ）がある。この方法は、一旦中間転写体上にインクジェット記録方式によりインク像を形成し、その中間転写体上のインク像を乾燥させた後、そのインク像を中間転写体から記録媒体上に転写する方法である（特許文献２、特許文献３、および特許文献４参照）。
【００１１】
転写記録方法においては、中間転写体上にインク乾燥工程を持つためにインク浸透性のない記録媒体においても高速定着が可能である。また、浸透性の弱い記録媒体や厚さの薄い記録媒体では、紙の繊維の伸縮によるコックリングやカールのない印字物を形成することやインク浸透によるインク裏抜けがない印字物ができ、出力後すぐに印字裏面に画像描画可能となるすばやい両面印刷が可能である利点を有している。
【００１２】
しかしながら、転写記録方法では、表面が凹凸している記録媒体に対しては、間接記録（接触記録）工程である転写工程があるため、高画質な画像を形成することが難しかった。
【００１３】
【特許文献１】特開平５−２０２３２８号公報
【特許文献２】米国特許第４，５３８，１５６号明細書
【特許文献３】米国特許第５，０９９，２５６号明細書
【特許文献４】特開昭６２−９２８４９号公報
【発明の開示】
【発明が解決しようとする課題】
【００１４】
以上から明らかなように表面が粗い（凹凸している）記録媒体に対して、高画質な画像を得るためには直接記録である反応型記録方法は有効であり、間接記録である転写記録方法によって画像を形成すると、転写工程のために高画質な画像を得ることに難がある。一方インク吸収性が低いまたは無い記録媒体に対して高画質な画像を得るためには、転写記録方法は有効であり、反応型直接記録方法によって画像を形成すると、定着に時間がかかり高速で画像形成を行うことに難がある。すなわち、反応型記録方法および転写記録方法のどちらか一方の方法だけでは、インク吸収性が低い、または無い記録媒体、および表面が粗い（凹凸している）記録媒体などの多種多様な記録媒体に対して高画質な画像形成を行うことは難しい。
【００１５】
これらの多種多様な記録媒体に対して、（１）インクジェット用記録媒体、インク吸収性が高い記録媒体、および表面が粗い（凹凸している）記録媒体に対しては、記録媒体へ直接インクを付与することで画像形成を行う方法（本明細書では、「直接記録」とも呼ぶ）によって画像形成を行う画像形成装置を用意し、（２）インク吸収性が低い、または無い記録媒体に対しては、転写記録方法（本明細書では、「間接記録」とも呼ぶ）によって画像形成を行う画像形成装置を用意しなければならない。従って、多種多様な記録媒体に高画質な画像形成を行う場合、少なくとも直接記録用および間接記録用の画像形成装置を用意しなければならず、多大なコストが必要となってしまう。また、省スペース化の妨げにもなってしまう。
【００１６】
本発明は、このような問題を鑑みてなされたもので、その目的とするところは、多種多様な記録媒体に対して、１台の画像形成装置で、高速で、かつブリーディングやビーディングの生じていない高画質な画像を形成できる画像形成方法および画像形成装置を提供することにある。
【課題を解決するための手段】
【００１７】
このような目的を達成するために、本発明の画像形成方法は、（Ａ）担持体に支持された記録媒体に対して、記録ヘッドにより着色インクを吐出することによって画像を形成する工程を有する第１画像形成モードと、（Ｂ）前記担持体表面に対して、着色インクの色材を凝集させる材料を塗布する塗布工程と、前記材料が塗布された担持体に、前記記録ヘッドによって着色インクを吐出することによってインク像を形成する工程と、前記担持体に形成されたインク像を記録媒体へ転写する転写工程とを有する第２画像形成モードとを含む複数の画像形成モードの内、画像形成に使用する１つの画像形成モードを選択する工程と、前記選択された画像形成モードに従って画像形成を行う工程とを有することを特徴とする。
【００１８】
また、本発明の画像形成方法は、中間転写体および搬送体としての機能を有する担持体により搬送される記録媒体に対して、記録ヘッドにより着色インクを吐出することによって画像を形成する工程を有する第１画像形成モードを実行する工程と、（ａ）前記担持体の表面に対して、着色インクの流動性を低下させるための材料を塗布する工程と、（ｂ）前記材料が塗布された担持体に、前記記録ヘッドによって着色インクを吐出することによってインク像を形成する工程と、（ｃ）前記担持体に形成されたインク像を記録媒体へ転写する転写工程とを有する第２画像形成モードを実行する工程とを有し、前記第１画像形成モードを実行する場合と前記第２画像形成モードを実行する場合とで前記記録媒体の搬送経路を異ならせて画像形成を行うことを特徴とする。
【００１９】
また、本発明の画像形成装置は、回転する担持体と、着色インクの流動性を低下させるための材料を前記担持体に支持された記録媒体または前記担持体に対して塗布する塗布手段と、前記材料が塗布された前記記録媒体または前記担持体に対して、記録ヘッドから着色インクを吐出することによって、前記記録媒体上に画像または前記担持体上にインク像を形成する形成手段と、前記担持体上に形成されたインク像を記録媒体へ転写する転写手段とを備え、前記担持体に支持された記録媒体に対して、少なくとも前記形成手段によってインクを付与して画像形成を行う直接記録動作、および、前記担持体に対して、前記塗布手段によって前記材料を塗布し、該材料が塗布された担持体に前記形成手段によってインクを付与して前記インク像を形成し、該インク像を記録媒体に転写する転写記録動作を実行可能であることを特徴とする。
【００２０】
また、本発明の画像形成装置は、回転する担持体と、前記担持体に記録媒体を吸着させる吸着手段と、前記担持体の表面に沿って配され、着色インクの色材を凝集させるための材料を前記吸着された記録媒体または前記担持体に対して塗布する塗布手段と、前記担持体の表面に沿って配され、前記材料が塗布された前記記録媒体または前記担持体に対して、記録ヘッドから着色インクを吐出することによって、前記記録媒体上に画像または前記担持体上にインク像を形成する形成手段と、前記担持体の表面に沿って配され、前記担持体上に形成されたインク像を記録媒体へ転写する転写手段と、前記担持体に吸着された記録媒体に対して、少なくとも前記形成手段によって画像形成を直接行う直接記録動作、または、前記担持体に対して、前記塗布手段によって前記材料を塗布し、該材料が塗布された領域の少なくとも一部に前記形成手段によって前記インク像を形成し、該インク像を記録媒体に転写する転写記録動作に対応して、前記記録媒体の搬送経路を切替える切替え手段とを備えることを特徴とする。
【００２１】
また、本発明の画像形成装置は、（Ａ）担持体に支持された記録媒体に対して、記録ヘッドにより着色インクを吐出することによって画像を形成する工程を有する第１画像形成モードと、（Ｂ）前記担持体の表面に対して、着色インクの色材を凝集させる材料を塗布する塗布工程と、前記材料が塗布された担持体に、前記記録ヘッドによって着色インクを吐出することによってインク像を形成する工程と、前記担持体に形成されたインク像を記録媒体へ転写する転写工程とを有する第２画像形成モードとを含む複数の画像形成モードを実行可能であり、前記複数の画像形成モードのうち、選択された１つの画像形成モードに従って画像形成を行うことを特徴とする。
【００２２】
なお、本発明の「材料」は、反応液とすることもできる。  
また、本発明の「切替え手段」とは、記録媒体を担持体へ吸着させるように搬送経路を制御し、および担持体から記録媒体を分離することを意味し、分離爪によって達成することができる。
【００２３】
さらに、本発明の「記録媒体」は、一般的な記録装置で用いる紙のみならず、広く、布、プラスチック・フィルムその他のインクを受容可能なものである。
【発明の効果】
【００２４】
以上説明したように、本発明によれば、担持体に支持された記録媒体に直接画像を形成する直接記録方法と、担持体に記録ヘッドによってインク像を形成し、そのインク像を記録媒体へ転写する転写記録方法とが行えるので、多種多様な記録媒体に対して、高速、かつブリーディングやビーディングが生じない高画質な画像を形成することができる。
【発明を実施するための最良の形態】
【００２５】
以下、本発明の実施形態を図面を参照して詳細に説明する。  
（第１の実施形態）
本実施形態は、インクジェット用コート紙（商品名：ＨＲ−１０１、キヤノン製）、インクジェット用光沢紙（商品名：ＰＲ−１０１、キヤノン製）等のインクジェット用記録媒体、普通紙等のインク吸収性が高い記録媒体、印刷用アート紙、印刷用コート紙またはフィルム等のインク吸収性が低い、あるいはインク吸収性が無い記録媒体、エンボス加工紙等の表面が粗い（凹凸している）記録媒体等のような、多種多様な記録媒体に対して、インクジェット記録によって、高速で、かつ高画質な画像形成を行うものである。具体的には、記録媒体に応じて、ユーザが、コンピュータ等の画像供給装置上で、ＧＵＩ（グラフィックス・ユーザインターフェイス）により構築されたユーザインターフェイス画面（本明細書では、「ＧＵＩダイアログ」とも呼ぶ）を利用して、１台の画像形成装置において、後述する直接記録モードか間接記録モード（転写記録モードともいう）かを自由に選択することができ、その選択された記録方法に従って、画像形成装置にて画像形成を行うものである。ただし、画像形成装置において、記録媒体の表面が粗い（凹凸している）と判断された場合は、ユーザの選択より優先して直接記録により画像形成行う。
【００２６】
なお、本実施形態における「直接記録」とは、中間転写体としても搬送体として機能する担持体（担持体はドラム形式でもベルト形式でも良いが以後説明図面に従ってドラムと表記する）によって記録媒体を支持・搬送し、そのドラム上の記録媒体へ直接インクを付与することによって画像形成を行うものである。直接記録としては、ドラム上の記録媒体へ直接インクを付与して画像形成を行う形態のみならず、ドラム上の記録媒体に反応液を塗布し、その塗布された領域の少なくとも一部にインクを付与して画像形成を行う形態も含むものである。
【００２７】
一方、本実施形態における「間接記録」とは、上記ドラム上に反応液を塗布し、その塗布された領域の少なくとも一部にインクを付与することによってインク像を形成し、ドラム上に形成されたインク像を記録媒体へ転写することによって画像形成を行う転写記録方法である。
【００２８】
本実施形態では、インクジェット用記録媒体、インク吸収性が高い記録媒体、および表面が粗い（凹凸している）記録媒体に対しては、直接記録を行い、インク吸収性が低い、または無い記録媒体に対しては、間接記録を行うことが好ましい。
【００２９】
以下で、本実施形態に係る画像供給装置および画像形成装置の構成を説明する。  
本実施形態において、コンピュータ等の画像供給装置１１０は、ＣＰＵ、ＲＯＭ、ＲＡＭ、ハードディスク記憶装置（ＨＤＤ）を含む周知の構成であり、さらに外部記憶装置を含む。外部記憶装置は、例えば、装置に着脱可能の記憶メディア（例えば、ＤＶＤ−ＲＯＭ、ＣＤ−ＲＯＭ、ＰＤ、ＭＯ、ＦＤ、ＪＡＺＺ（登録商標）、ＪＩＰ（登録商標）、各種磁気テープ等）に、データやプログラムを読み出し／書き込み自在に記憶するものである。ＲＡＭは、ＣＰＵのワークエリアやデータの一時記憶用に使用される。
【００３０】
画像供給装置１１０は、このような外部記憶装置から、ハードディスク記憶装置（ＨＤＤ）またはＲＡＭに、各種アプリケーションや本発明に係るプログラムを含むプリンタドライバをロードして、それらをＣＰＵによって実行する。これにより、プリンタドライバは、後述するような特徴的な処理機能を発揮する。プリンタドライバは、ハードディスク記憶装置やＲＡＭ等の記憶媒体の他、読み書き自在の各種記憶媒体にロードして実行することもできる。また、プリンタドライバは、ＲＯＭ、ＮＶＲＡＭ等の不揮発性メモリ素子に予め記憶させてもよく、または、ネットワークを介して他の装置等と通信することにより、記憶装置にロードするようにしても良い。
【００３１】
図１は、本実施形態に係る画像形成装置の断面図である。  
図１において、符号１は、間接記録時には中間転写体として機能し、さらに直接記録時には記録媒体の搬送体として機能するドラムであり、その表面は離型性の材質で構成されている。このドラム１は、不図示の軸に支持されており、不図示のドラム駆動装置によって矢印Ａ方向に回転駆動することができる。ドラム１の円周方向には上流側から下流側に向かって順に、記録媒体分離部２、反応液塗布部３、インク付与部４、インク乾燥像処理部５、転写部６、クリーニング部７が配置されている。また、記録媒体を収納している記録媒体収納部（給紙カセット１７）から記録媒体１１をドラム１と転写部６とのニップ部へ搬送する搬送部と、ニップ部からの記録媒体１１を定着すると共に排紙する排紙定着部とが配置されている。さらに、紙種検知手段８、表面粗さ検知手段９、各種センサからの信号や、外部コンピュータからの画像信号、印字制御信号、動作制御信号などを処理する信号処理部１２と、上述した各部材とは、装置外装筐体１０中に配置されている。装置外装筐体１０には、記録媒体収納部である給紙カセット１７と、装置外へ排紙された記録媒体１１を受け取る排紙カセット２３とが、着脱可能に取り付けられている。
【００３２】
以下で、上述したそれぞれの部材の構成についてさらに詳細に説明する。  
図３は、本実施形態に係る信号処理部１２の構成を示す概略ブロック図である。図３において、全体を符号１００で示す画像形成装置において、ＣＰＵ１０１は、本画像形成装置の動作の制御処理、データ処理等を実行する。メモリ１０３は、それらの処理手順等のプログラム、および多種多様な記録媒体のそれぞれに対する最適な記録方法を示したテーブルを格納したＲＯＭ（不図示）と、それらの処理を実行するためのワークエリア等として用いられるＲＡＭ（不図示）とを有する記録部である。Ｉ／Ｆ１０５は、画像形成装置と、ホストコンピュータ等の画像データの供給源である画像供給装置１１０との間でデータやコマンド等の情報を授受するためのインターフェイスである。
【００３３】
以上の各部のほか、ドラム１、記録媒体分離部２、反応液塗布部３、インク付与部４、インク乾燥処理部５、転写部６、クリーニング部７、紙種検知手段８、表面粗さ検知手段９、搬送部１０７、排紙定着部１０９は、バスライン１２０に接続されている。従って、ＣＰＵ１０１は、バスライン１２０を介して各部と信号のやり取りを行うことができる。また、制御対象である各部には、状態検出用センサが配設され、その検出信号をバスライン１２０を介してＣＰＵ１０１に伝達することができる。
【００３４】
上述のように、ドラム１は、２つの機能を有している。ひとつは、記録媒体１１を支持した状態で搬送し、インク付与部４にてインクを記録媒体１１に付与して画像を形成するための、記録媒体１１を搬送する機能である。もうひとつは、ドラム１上に直接描画されたインク像１３を記録媒体１１に転写し画像を形成するための、中間転写体としての機能である。本実施形態では、ドラム１の表面はインクに対して離型性であるので、後述する転写工程の後のドラム１の表面にインクを残させずクリーニングすることが容易である。
【００３５】
ドラム１は、アルミニウム製の支持体１４の周囲に表面層１５ａ，１５ｂとしてシリコーンゴムを積層したものである。支持体１４は、アルミニウムに特に限定されるわけではないが、ニッケル、燐酸鉄などの金属やアセタールのような熱硬化性樹脂、またはセラミックなどを成型しても良い。また、ドラム１では、シリコーンゴムを二層としているが、その弾性特性により適宜その層構成を変えても良い。表面層１５ａの表面は、表面層１５ａ上に形成されたインク像１３を剥離し易い性質（離型性）を有していることが望ましい。
【００３６】
特に、シリコーンゴムは表面エネルギーが低く、インク像の剥離性が高い性質を有していることや、記録媒体１１が接触すると表面にわずかに存在するシリコンオイルが記録媒体１１の接着を補助するという性質があり表面層としては最適材料のひとつである。
【００３７】
なお、上述では表面層１５ａの表面を離型性であるとしたが、離型性に制限されるものではない。但し、転写率向上の面から離型性材料であることが望ましく、非浸透性（非吸収性）の材料であることが望ましい。ここで、離型性とは、表面に付与されたインクや反応液等の材料を剥離可能な特性を示すものである。離型性が高いほどクリーニング時の負荷やインクの転写率の面で、有利である反面、材料の臨界表面張力が低くなり、インク等の液体が接着しにくい撥液性となるため、画像を保持することが難しくなる。本発明で表記する離型性表面とは、臨界表面張力が３０ｍＮ／ｍ以下、若しくは水に対する接触角が７５°以上の表面を指す。
【００３８】
表面層１５ａの他の例としては、フルオロシリコーンゴム、フェニルシリコーンゴム、フッ素ゴム、クロロプレンゴム、ニトリルゴム、エチレンプロピレンゴム、天然ゴム、スチレンゴム、イソプレンゴム、ブタジエンゴム、エチレン／プロピレン／ブタジエンポリマー、ニトリルブタジエンゴム、などが挙げられる。特に、シリコーンゴム、フルオロシリコーンゴム、フェニルシリコーンゴム、フッ素ゴム、クロロプレンゴムが好ましい。表面層１５ｂは、ゴム層の弾性特性を最適化するものであり、上記の材料等が適宜使用される。
【００３９】
なお、ドラム１表面が粘着性をもち、記録媒体１１を比較的貼り付かせるものならば特に記録媒体１１を固定チャックする機構は要らないが、例えば、把持チャック機構、吸引チャック機構等、記録媒体１１をドラム１に固定チャックする機構を設けても良い。また、これら機構に限られず、記録媒体１１がドラム１に支持された状態でドラム１の回転に伴う記録媒体１１の搬送を実現できる機構であれば、本実施形態に適用可能である。
【００４０】
ドラム１内部には、装置の温度安定性を確保するための加熱ヒータ１６が内蔵されている。加熱ヒータ１６を加熱する手段は、ハロゲンランプ等の通常使用される手段を使用できる。その設定温度は、ドラム１の表面温度を基準として２０〜１００℃が好ましく、より好ましくは２５〜８０℃である。
【００４１】
一方、図１において、搬送部は、紙種検知手段８、表面粗さ検知手段９、給紙ローラ１８、搬送ローラ１９ａおよび１９ｂ、搬送ガイド２０ａおよび２０ｂを含んで構成されている。
【００４２】
同図において、紙種検知手段８は、給紙カセット１７に収納された記録媒体１１の上側を検知する。また、表面粗さ検知手段９は、搬送ガイド２０ａおよび２０ｂ上に導かれた記録媒体１１の下側を検知する。このとき、記録媒体１１は、給紙ローラ１８によって搬送ガイド２０ａおよび２０ｂへ給紙され、搬送ローラ１９ａおよび１９ｂによってニップ部へ搬送される。
【００４３】
ここで、紙種検知手段８について説明する。  
本実施形態に係る紙種検知手段８は、記録媒体１1の表面形状から記録媒体の種類を検知するための手段である。ここでは、記録媒体１１の表面の光学的な正反射と拡散反射との出力比を検知することにより記録媒体の種類を検知している。
【００４４】
図２は、本実施形態に係る紙種検知手段の断面図である。図２において、記録媒体１１に対して光を照射するためのＬＥＤ２５が配置され、そこから照射された光を記録媒体１１上にスポットで入射するための集光レンズ２６は、ＬＥＤ２５と記録媒体との間にあるように設置される。符号２７ａおよび２７ｂは、それぞれ受光素子であり、受光素子２７ｂは、ＬＥＤ２５から照射され集光レンズ２６によって集光された光（本明細書では、「光線」とも呼ぶ）の記録媒体１１に対する正反射光を検知するように配置され、受光素子２７ａは、光線の記録媒体１１に対する拡散反射光を検知するように、受光素子２７ｂの配置位置とは別の位置に配置される。これら各部要素は、センサ外装２８の中に上述の構成で配置されている。
【００４５】
ここで、正反射光とは、記録媒体１１への入射光である光線と記録媒体１１の法線とのなす角を入射角とすると、記録媒体１１の法線とのなす角が入射角と同じである反射光のことをいう。また、拡散反射光とは、正反射の方向以外の方向へ反射する光をいう。
【００４６】
以上の構成により、紙種検知手段８は、信号制御部１２を介して画像供給装置１１０から記録媒体検知指示が送られてくると、給紙カセット１７に収納された記録媒体１１の表面に対して、ＬＥＤ２５より光を照射して、正反射光を受光素子２７ｂで、拡散反射光を受光素子２７ａによってそれぞれの反射光強度を出力値として検知する。それら出力値は信号として信号制御部１２を介して画像供給装置１１０に送られ、後述する比較参照のために処理される。次いで、画像供給装置１１０のプリンタドライバでは、各種記録媒体に対して予め定めてある、各種記録媒体の特性値と、処理された出力値とを比較参照することによって、記録媒体１１の種類が判断される。具体的には、処理された出力値を、正反射光強度と拡散反射光強度との比、すなわち正反射光強度／拡散反射光強度とすると、樹脂フィルム、インクジェット用のＯＨＰ、インクジェット専用光沢紙および印刷用アート紙、印刷コート紙、インクジェット用コート紙、ならびに印刷用上質紙、インクジェット用記録媒体ではない普通紙において、予め求められている特性値は、一般に樹脂フィルム、ＯＨＰ＞インクジェット専用光沢紙＞印刷用アート紙、印刷用コート紙＞インクジェット専用コート紙＞上質紙、普通紙の順であるので、画像供給装置１１０において、処理された出力値である比から紙種を判断するマップにより紙種が判定される。さらに、判定された紙種に応じた記録モードが選択される。
【００４７】
本実施形態の記録モードとは、記録媒体に最適な画像形成を行うためのモードであり、インク付与部４でのインク吐出量の制御を主に行う。
【００４８】
本実施形態では、正反射光強度と拡散反射光強度との比から、紙種を判断しているが、これに限定されず、例えば、正反射光強度と拡散反射光強度との差から紙種を判断しても良い。また、比や差を利用せずに、正反射光強度と拡散反射光強度の出力値そのものを利用して紙種を判断してもよい。
【００４９】
次に、表面粗さ検知手段９について説明する。  
表面粗さ検知手段９は、記録媒体１１の表面の形状から表面の粗さ（凹凸製）を検知するための手段である。ここでは、紙種検知手段８と同様に、記録媒体１１の表面の光学的な正反射と拡散反射との出力比を検知することにより記録媒体の表面の粗さを検知している。
【００５０】
表面粗さ検知手段９の構成は、図８と同様であるので、ここでは同じ符号を付すともに、詳細な説明は省略し、特徴的な部分のみを説明する。
【００５１】
画像供給装置１１０から表面粗さ検知指示が送られてくると、信号制御部１２は、給紙ローラ１８を回転することにより、記録媒体１１の一部分を表面粗さ検知手段９の検知可能領域まで給紙させる。このとき、記録媒体１１は、画像形成動作が開始されるまで、このまま保持される。ついで、表面粗さ検知手段９は、紙種検知手段８と同様にして、正反射光と拡散反射光とのそれぞれの反射強度を出力値として検知し、信号制御部１２を介して、画像供給装置１１０へその出力値を示す信号を送る。ついで、画像供給装置１１０では、各種記録媒体に対して予め定めてある、各種記録媒体の表面の平滑レベルを規定する基準（本明細書では、「平滑レベル基準」とも呼ぶ）と、それら出力値とを比較参照することによって、記録媒体１１の表面の粗さ（凹凸性）を判断する。具体的には、画像供給装置１１０において、正反射光強度と拡散反射光強度との比、正反射光強度／拡散反射光強度と平滑レベル基準とを比較して、それら比が平滑レベル基準よりも小さいと表面が粗いと判断する。
【００５２】
本実施形態では、正反射光強度と拡散反射光強度との比から、記録媒体表面の粗さを判断しているが、これに限定されず、例えば、正反射光強度と拡散反射光強度との差から記録媒体の表面の粗さを判断しても良い。この場合は、正反射光強度と拡散反射光強度との比が平滑レベル基準よりも大きい場合に、記録媒体表面が粗いと判断される。また、比や差を利用せずに、正反射光強度と拡散反射光強度の出力値そのものを利用して記録媒体表面の粗さを判断してもよいことは言うまでも無い。
【００５３】
なお、表面粗さに対しては、上記光学的手段だけでなく、針などを用いた表面接触による表面粗さ検知手段など、既知の表面粗さ手段を用いても良い。
【００５４】
また、本実施形態では、表面粗さ検知手段９の配置場所の関係上、記録媒体を給紙ローラにより給紙してから上記検知を行う形態について説明したが、表面粗さ検知手段９が給紙カセットに対向している場所に配置されている場合には、勿論、給紙せずに上記検知を行う。
【００５５】
なお、紙種検知手段８および表面粗さ検知手段９は、搬送ガイド２０ａおよび２０ｂ上の記録媒体１１に対して、それぞれ上側、下側を検知するように配置されているが、その上側または下側のいずれか一方に、配置しても良い。そのときは、１つの手段に対して、紙種検知と表面粗さ検知との双方の機能を持たせることができる。
【００５６】
次に、図１において、記録媒体分離部２は、図１中の矢印Ｂ方向に稼動可能な分離爪２４と分離爪２４を駆動させる図示しない駆動機構とを含んで構成され、直接記録および間接記録のいずれか一方を示す信号を受信すると、その信号に応じて、駆動機構により分離爪２４が矢印方向Ｂで稼動し、画像形成時の記録媒体１１の搬送制御、および排紙時にドラム１から記録媒体１１を分離する制御を行う部分である。
【００５７】
一方、図１において、反応液塗布部３には、塗布ローラ３１ａ、３１ｂおよび３１ｃがそれぞれ接しながら配置されている。また、反応液２９は、塗布容器３０に貯留されており、塗布ローラ３１ａ、３１ｂおよび３１ｃを介して、ドラム１に塗布される。ここで、塗布ローラ３１ａは、不図示の離接制御装置によってドラム１に対して離接可能であり、ドラム１に対して当接することで、反応液２９をドラム１上に塗布することができる。
【００５８】
ここで、本実施形態に係る反応液２９について詳細に説明する。  
反応液２９は、後工程のインク付与部４で画像信号に応じて吐出制御可能な複数のノズルを有する記録ヘッドから吐出するインク３２と迅速に反応しインクを凝集させた凝集インク像を形成し、「ビーディング」や「ブリーディング」現象を抑制するものである。特に反応液を付与することは、インクジェット記録用に表面が処理されていない普通紙・表面凹凸が大きい記録媒体や、中間転写体としての機能を有するドラム１１上に、「ビーディング」や「ブリーディング」のない高画質画像を形成するために有効である。
【００５９】
なお、この反応液は、着色インクの流動性を低下させるための材料でもある。詳しくは、インクとの接触によって、中間転写体として機能するドラム上におけるインクの流動性を低下させ、中間転写体上に着弾したインクを極力着弾位置に保持させる役割を担う液体である。ここで、流動性を低下させるとは、インクを構成している組成物の一部である着色剤や樹脂等が、化学的に反応、または物理的に吸着し、インク全体の流動性の低下が認められる場合は勿論、インクを構成する組成物の固形分の凝集により局所的に流動性の低下を生じる場合を含む意である。離型性の表面を有するドラム上に着弾したインクの流動性を低下させないと、ドラム上でインクが流れてしまい、ビーディングやブリーディングの原因となってしまう。そこで、反応液を用いてインクと反応させることにより、それと接触したインクの流動性を低下させ、離型性の中間転写体上に着弾されたインクを着弾位置に保持させるようにする。これにより、ドラム上でインク滴同士が接触しても、ビーディングやブリーディングの発生を抑制することができる。
【００６０】
このような反応液２９は、画像形成に使用するインクの種類によって適宜に選択する必要がある。例えば、染料インクに対しては、高分子凝集剤を用いることが有効であり、顔料（微粒子が分散されてなる）インクに対しては、金属イオンを使用することが有効である。さらに、染料インクに対して、反応液２９として金属イオンを組み合わせて用いる場合には、インク中に、染料と同等色の顔料を混合させるか、色目に影響の少ない、白色または透明色の微粒子を混合させるとよい。
【００６１】
本実施形態において、反応液２９として使用する高分子凝集剤としては、例えば、陽イオン性高分子凝集剤、陰イオン性高分子凝集剤、非イオン性高分子凝集剤、両性高分子凝集剤等が挙げられる。また、金属イオンとしては、例えば、Ｃａ２＋、Ｃｕ２＋、Ｎｉ２＋、Ｍｇ２＋及びＺｎ２＋等の二価の金属イオンや、Ｆｅ３＋およびＡｌ３＋等の三価の金属イオンが挙げられる。そして、これらのイオンを付与する場合には、金属塩水溶液として付与することが望ましい。金属塩の陰イオンとしては、Ｃｌ−、ＮＯ３−、ＳＯ４−、Ｉ−、Ｂｒ−、ＣｌＯ３−、ＲＣＯＯ−（Ｒは、アルキル基）等が挙げられる。また、使用するインクと逆性を持つ材料は反応液２９として用いることができる。たとえばインクがアニオン性もしくはアルカリ性であれば、その逆性であるカチオン性もしくは酸性材料が反応液２９になりうる。
【００６２】
反応液２９の付与量としては、例えば、金属イオンの総電荷数が、着色インク中の逆極性イオンの総電荷数の等倍以上となるようにすることが望ましい。このためには、上述した金属塩の１０質量％程度の濃度の水溶液を使用すればよく、塗布層は、薄膜で十分に機能するものとなる。
【００６３】
反応液２９の塗布厚はその濃度によって異なるが0.1から10μｍの範囲で設定される。厚さが薄すぎると塗布むらによる不均一な反応が生じ、厚すぎると凝集したインクが反応液表面を動くためビーディングを生じてしまう。
【００６４】
また、転写性や最終的に形成された画像の堅牢性を向上させるために、樹脂成分を添加させることもできる。水溶性樹脂や水溶性架橋剤を添加することもできる。用いられる材料としては、反応液２９と共存できるものであれば制限は無い。水溶性樹脂としては、特に、反応性の高い金属塩を反応液２９として用いる場合には、ＰＶＡ、ＰＶＰ等が好適に用いられる。水溶性架橋剤としては、インクで色材分散のために好適に用いられるカルボン酸と反応する、オキザゾリンやカルボジイミドが好適に用いられる。また、アリジン等は、画像固定と画像堅牢性の両方を、比較的両立させる材料である。
【００６５】
本実施形態に係る塗布ローラ３１ａ、３１ｂおよび３１ｃは、反応液２９との濡れ性がよい材料が好ましいが、多孔質や表面が凹凸しているもの、たとえばグラビアロール状のものなど従来既知の技術を使用可能である。さらに、ローラ形状でなくブレードによる塗布量をコントロールする方法やスプレー、記録ヘッド等により反応液を一様に塗布できる手段を適宜に用いることができる。
【００６６】
次に、図１において、インク付与部４は、ドラム１上の反応液塗布部３の下流側に配置されており、記録ヘッド３３ａ、３３ｂ、３３ｃおよび３３ｄを含んで構成されている。本実施形態において、記録ヘッド３３ａ、３３ｂ、３３ｃおよび３３ｄを総じて記録ヘッド３３と呼ぶ。本実施形態に係る画像形成装置では、記録ヘッド１８に、電気熱変換素子である発熱素子（ヒータ）を用いる形式のライン型インクジェット記録ヘッドを用いている。記録ヘッド３３ａ、３３ｂ、３３ｃおよび３３ｄは、ドラム１の円周方向に一定間隔を置いて配置されている。図１の構成においては、ライン型のインクジェット記録ヘッドが用いられているが、勿論、インク色別の複数のノズル列をドラム１の円周方向または軸方向（図１において、紙面垂直方向）の所定範囲に配列された記録ヘッド（シリアル型の記録ヘッド）を用い、この記録ヘッドを軸方向に走査しながら順次転写ドラム１に画像形成を行ってもよい。さらに、インクジェット記録ヘッドは、上記に限らず、圧電素子駆動型等、インクを記録ヘッドのノズルから吐出可能な手段であれば、いずれの方式のものも使用できる。
【００６７】
それぞれの記録ヘッド３３は、カラーの色材に対応している。本実施形態では、記録ヘッド３３ａがイエロー（Ｙ）、３３ｂがマゼンタ（Ｍ）、３３ｃがシアン（Ｃ）、３３ｄがブラック（Ｋ）に対応してしる。記録ヘッド３３は不図示のインクタンクから、それぞれの着色インクの供給を受ける。各記録ヘッドの発熱素子は、信号処理部１２より受け取った各色に対応した外部画像信号に応じて発熱して、各インクタンクから供給されたインクの温度を上昇させバブルを発生させる。発生したバブルが膨張することによって、各記録ヘッド３３の複数ノズルからインク滴が吐出する。なお、本実施形態におけるインク付与部４を構成するインクジェット記録ヘッドの数、ドラム１に吐出されるインクの色順序、および使用されるインクの色相は、上述に限定されるものではない。
【００６８】
なお、間接記録の場合、転写の際に反転することを考慮し、記録媒体９に最終的に形成すべき画像の鏡面画像をドラム上に形成しなければならない。従って、間接記録では、画像信号を記録ヘッド３３に送信する以前に行われる画像処理段階で鏡面画像に対応した画像信号に変換する必要がある。そこで、画像供給装置１１０から送られてくる画像信号（つまり、記録媒体９に最終的に形成される画像に対応した画像信号）に対しミラー反転処理（反転データを得る処理）を施し、鏡面画像に対応した画像信号を取得し、これを記録ヘッドへ供給するようにしている。
【００６９】
ここで、本実施形態に係る着色インクについて詳細に説明する。
着色インクの着色剤は、顔料および染料いずれも使用できるが、インク中の固形分が凝集することが可能なものが使用される。特に着色顔料インクは、インク分散剤として反応液２９と強く反応して凝集を起こすため好ましいインクである。染料においても、樹脂を分散したインクであれば反応液２９と反応し凝集特性を示すため、本実施形態において使用することができる。着色顔料インクの顔料は、着色顔料インクの全重量に対して、重量比で１〜２０重量％、好ましくは２〜１２重量％の範囲で用いる。
【００７０】
顔料として、例えば、Ｃ．Ｉピグメントブルー１、２、３、１５：３、１６、２２、Ｃ．Ｉピグメントレッド５、７、１２、４８（Ｃａ）、４８（Ｍｎ）、５７（Ｃａ）、１１２、１２２、Ｃ．Ｉピグメントイエロー１、２、３、１３、１６、８３、カーボンブラックＮｏ２３００、９００、３３、４０、５２、ＭＡ７、８、ＭＣＦ８８（三菱化成製）、ＲＡＶＥＮ１２５５（コロンビア製）、ＲＥＧＡＬ３３０Ｒ、６６０Ｒ、ＭＯＧＵＬ（キャボット製）、Ｃｏｌｏｒ  Ｂｌａｃｋ  ＦＷ１、ＦＷ１８、Ｓ１７０、Ｓ１５０、Ｐｒｉｎｔｅｘ３５（デグッサ製）等が挙げられる。
【００７１】
これらの顔料は、形態としての限定を受けず、例えば、自己分散タイプ、樹脂分散タイプ、マイクロカプセルタイプ等のものをいずれも使用することが可能である。その際に使用する顔料の分散剤としては、水溶性で、重量平均分子量が１，０００〜１５，０００程度の分散樹脂が好適に使用できる。具体的には、例えば、ビニル系水溶性樹脂、スチレンおよびその誘導体、ビニルナフタレンおよびその誘導体、α，β−エチレン性不飽和カルボン酸の脂肪族アルコールエステル、アクリル酸およびその誘導体、マレイン酸およびその誘導体、イタコン酸およびその誘導体、フマール酸およびその誘導体からなるブロック共重合体またはランダム共重合体、もしくは、これらの塩等が挙げられる。
【００７２】
また、最終的に形成された画像の堅牢性を向上させるために、水溶性樹脂や水溶性架橋剤を添加することもできる。用いられる材料としてはインク成分と共存できるものであれば制限は無い。水溶性樹脂としては上記した分散樹脂等をさらに添加することが好適に用いられる。水溶性架橋剤としては、反応性の遅いオキザゾリンやカルボジイミドがインク安定性の面で好適に用いられる。
【００７３】
上述した色材と共にインクを構成する水系液媒体中には、有機溶剤を含有させることができ、この有機溶剤量は、転写型記録方法を行う際の、画像転写時のインクの物性を決める重要なファクターとなる。転写型記録方法においては、中間転写体から記録媒体に転写するときのインクは、ほぼ色材と高沸点有機溶剤だけとなるためである。使用する有機溶剤としては、下記に挙げるような水溶性の溶剤が好適に用いられる。
【００７４】
例えば、ポリエチレングリコール、ポリプロピレングリコール、エチレングリコール、プロピレングリコール、ブチレングリコール、トリエチレングリコール、チオジグリコール、ヘキシレングリコール、ジエチレングリコール、エチレングリコールモノメチルエーテル、ジエチレングリコールモノメチルエーテル、グリセリン等が挙げられ、これらの中から選択して、２種類以上を混合して用いることもできる。また、粘度、表面張力等を調整する成分として、インク中に、エチルアルコールやイソプロピルアルコール等のアルコール類や、界面活性剤を添加することもできる。
【００７５】
インクを構成する成分の配合比についても限定を受けることがなく、選択したインクジェット記録方式やヘッドの吐出力、ノズル径等から吐出可能な範囲で、適宜に調製することが可能である。一般的には、質量基準で、色剤０．１〜１０％、樹脂成分０．１〜２０％、溶剤５〜４０％、界面活性剤０．０１〜５％以下とし、残りを純水で調整したインクを用いることができる。
【００７６】
一方、図１において、インク乾燥処理部５は、インク付与部４の下流側に配置されており、不図示のヒータにより加熱された温風を送るファン３４が配置されている。
【００７７】
インク乾燥処理部５では、直接記録の場合はインク付与部４にて直接形成された画像を最適に乾燥し、また間接記録の場合はインク像１３の記録媒体１１への転写条件に最適なインク条件を形成する。すなわち、記録媒体１１へのインク像１３の浸透性の相違により送風量、あるいは熱量を制御することにより、インク像１３の記録媒体１１への転写特性を制御するものである。
【００７８】
なお、本実施形態ではファン３４を用いているが、赤外線ヒータ、エアーナイフ等温度がコントロール可能でインク像１３の特性をコントロール可能であるならば、従来既知の技術を使用してもよい。
【００７９】
また、図１において、転写部６には、転写ローラ３５が、ドラム１とのニップ部に記録媒体１１を通過するように配置されている。転写ローラ３５は、ゴムローラや金属ローラ等で形成することができる。また、不図示の押圧制御装置によりドラム１に押圧解除の制御が可能である。押圧状態ではドラム１に従動して回転するか、独立の転写ローラ駆動手段により回転制御可能となっている。本実施形態においては従動回転とした。また、本実施形態においては、転写時において転写ローラ３１は、記録媒体１１を介してドラム１を線荷重０．６ｋｇ／ｃｍで押圧しているが、これに限定されない。
【００８０】
上述の構成で、転写部６は、転写記録方法の場合は、給紙カセット１７から搬送された記録媒体１１にドラム１上のインク像１３を圧力転写する。
【００８１】
一方、図１において、クリーニング部７は、クリーニング液３６と、クリーニング液３６を保持するクリーニング液保持部材３７と、さらに、クリーニング液３６を塗布して、ドラム１上のごみ等を取り除くための、クリーニング液供給ローラ３８、およびドラムクリーニングローラ３９を含んで構成されている。クリーニング部７では、転写記録方法における転写部６でのインク像転写後のドラム１上をクリーニングする。なお、クリーニング部７は、特にドラム１表面をクリーニング可能であれば、装置の構成や、クリーニング液３６を限定するものではないが、例えば、上述した反応液２９として使用した界面活性剤、水溶性有機溶剤等を含む水溶液を、クリーニング液３６とすることが好ましい。
【００８２】
一方、図１において、排紙定着部は、搬送ガイド２１ａおよび２１ｂ、排紙ローラ２２ａおよび２２ｂ、不図示の定着ローラを含んで構成されている。
【００８３】
排紙定着部では、転写部６から記録媒体１１を搬送ガイド２１ａおよび２１ｂを介して、排紙ローラ２２ａおよび２２ｂまで搬送し、そこで排紙ローラ２２ａおよび２２ｂが回転することによって、記録媒体１１は排紙カセット２３へ排紙される。さらに、間接記録の場合は、転写ローラは、転写部６にてインク像１３が転写された記録媒体１１に対して、定着処理を施す。
【００８４】
次に、以上の構成からなる本実施形態に係る画像形成装置における、直接記録モードおよび間接記録モードを用いた画像形成動作を説明する。
【００８５】
（直接記録）
・第１の直接型記録方法（第１の直接型記録モード）
本実施形態における直接型記録方法は、インクジェット用記録媒体、または表面が粗い（凹凸している）記録媒体に対してインクジェット記録を行う方法である。  
【００８６】
所望の記録媒体を、記録面を下側にして給紙カセット１７にセットする。
図１において、画像形成装置の電源を投入すると、反応液塗布部３、クリーニング部７、の各ユニットがドラム１から離れている状態を確認し、分離爪２４を記録媒体１１を排紙方向に導くようにドラム１に当接する初期状態に設定する。次いで、ドラム１が駆動回転をはじめ、ドラム１内部および乾燥部５の各ヒータがONになり、各部での設定温度に昇温する（初期動作）。
【００８７】
コンピュータ等の画像供給装置１１０から印刷ジョブが送られてくると、ドラム１から分離爪２４が離脱する。記録媒体１１が給紙ローラ１８、搬送ローラ１９ａ、１９ｂと搬送ガイド２０ａ、２０ｂに導かれ、分離爪２４により記録媒体１１がドラム１に貼り付く。ドラム１上に貼り付いた記録媒体１１の先端を不図示のセンサにより検知確認し、インク吐出のタイミングを決定する。従って、ドラム１上の記録媒体１１の位置を、通常のエンコーダなどを利用して決定する。  
ドラム１の回転が、すなわち記録媒体１１の搬送となる。
【００８８】
次に印刷ジョブに含まれる画像信号を記録ヘッド３３に送り、ドラム１上の回転とともに順次記録ヘッド３３ａ、３３ｂ、３３ｃ、３３ｄから各色のインクを吐出し記録媒体１１上にカラーのインク像１３を形成する。
【００８９】
次に記録媒体１１の先端が、インク乾燥処理部５に突入すると、ファン３４が稼動し、インク像１３を乾燥する。
【００９０】
記録媒体１１の先端が転写部６からの排出を不図示のセンサにより検知すると同時に分離爪２４をドラム１と記録媒体１１との間に挿入し、記録媒体１１をドラム１から分離したのち、排紙トレイ２３に排紙する。
【００９１】
以上のように、第１の直接型記録方法とは、ドラム１上の記録媒体に対して、直接インク像１３を描画することで、画像を形成する方法である。
【００９２】
画像形成が続けられる場合、画像信号に応じて上述の動作を繰り返す。画像形成動作を終了し電源を切る場合、各ヒータをOFFにしドラム１の回転を止めたのち、装置の電源をOFFにし、装置動作を終了する。
【００９３】
・第２の直接型記録方法（第２の直接型記録モード）
本実施形態における第２の直接型記録方法は、例えば、普通紙等、インクジェット用に設計されていないが、インク吸収性が高い記録媒体に対してインクジェット記録を行う方法である。
【００９４】
所望の記録媒体を、記録面を下側にして給紙カセット１７にセットする。  
第１の直接型記録方法と同様である部分についてはここでは省略し、第２の直接型記録方法に特徴的な部分のみについて説明する。
【００９５】
初期動作は、第１の直接型記録方法と同様である。  
画像形成動作についても、上述した第１の直接型記録方法と同様であるが、本記録方法においては、反応液塗布部３において記録媒体１１に反応液２９を塗布することが特徴的である。
【００９６】
画像信号が入力されるまでの動作が終了すると、不図示のセンサは、ドラム１上に貼り付いた記録媒体１１の先端を検知確認し、インク吐出のタイミングを決定すると共に、反応液の塗布のタイミングも決定する。
【００９７】
ドラム１の回転により、ドラム１に貼り付いた記録媒体１１の先端が反応液塗布部３の塗布ローラ３１ａ上に達すると、記録媒体１１に反応液塗布部３の塗布ローラ３１ａが当接し、記録媒体１１に反応液２９を塗布する。塗布ローラ３１ａは、ドラム１上に貼り付いた記録媒体１１の終端において反応液２９を塗布して、転写ドラムから離れる動作を行う。
【００９８】
次に、ドラム１の回転とともに順次記録ヘッド３１ａ、３１ｂ、３１ｃ、３１ｄから各色のインクを吐出し記録媒体上にカラーのインク像１３を形成する。このインク像１３は、インク乾燥処理部５において溶剤を蒸発乾燥される。
記録媒体１１は、搬送部によって排紙カセット２３に排紙される。
【００９９】
以上のように、第２の直接型記録方法とは、ドラム１上の記録媒体に対して、反応液を塗布した後にインクを付与し、直接、インク像１３を記録媒体上に描画することで、画像を形成する方法である。
【０１００】
画像形成が続けられる場合、画像信号に応じて上述の動作を繰り返す。画像形成動作を終了し電源を切る場合、各ヒータをOFFにしドラム１の回転を止めたのち、装置の電源をOFFにし、装置動作を終了する。
【０１０１】
・間接型（転写型）記録方法（転写型記録モード）
本実施形態における転写型記録方法は、例えば、印刷用のアート紙・コート紙等、インク吸収性が低く、インクジェット用に設計されていない記録媒体に対して、インクジェット記録を行う方法である。
【０１０２】
所望の記録媒体を、記録面を上側にして給紙カセット１７にセットする。  
初期動作は、直接型記録方法と同様である。  
画像供給装置１１０から印刷ジョブを受け取ると、信号制御部１２は、印刷ジョブに含まれる画像信号が鏡面画像信号でない場合は、受け取った画像信号を鏡面画像信号に変換する。次いで、反応液塗布部３の塗布ローラ３１ａがドラム１に当接し、ドラム１上に反応液２９を均一に塗布する。中間転写搬送ドラム１が１回転し、ドラム１上に反応液２９が塗布されたのち、塗布ローラ３１ａは、ドラム１から離接する。
【０１０３】
次いで、鏡面画像信号が記録ヘッド３３に送られ、ドラム１上の回転とともに順次記録ヘッド３３ａ、３３ｂ、３３ｃ、３３ｄから各色のインクを吐出しドラム１上にカラーのインク像１３を形成する。ドラム１上に形成されたインク像１３は、インク乾燥処理部５におい溶剤を蒸発乾燥され転写に最適なインク条件となる。一方、ドラム１上に形成された画像先端位置と被転写媒体である記録媒体１１とがニップ部で重なるように、搬送ローラ１９ａ，１９ｂによって記録媒体１１を搬送する。
【０１０４】
転写部６では、記録媒体１１の先端がニッブ部に達すると、転写ローラ３５を駆動し、記録媒体１１を介してドラム１に対して押し当て、所定の転写圧を発生し、ドラム１上のインク像１３を記録媒体１１に転写する。記録媒体１１の先端を転写部６から排出したと不図示のセンサが検知すると同時に分離爪２４をドラム１と記録媒体１１との間に挿入し、記録媒体１１を中間転写搬送ドラム１から分離したのち、その記録媒体１１を排紙トレイに排紙する。
【０１０５】
ドラム１上のインクが記録媒体１１にすべて転写した後、転写ローラ３５および分離爪２４を離接する。次に、ドラムクリーニングローラ３９がドラム１に当接し、中間転写搬送ドラム１表面をクリーニングする。ドラム１が1回転すると、ドラムクリーニングローラ３９は中間転写搬送ドラム１から離接する。
【０１０６】
以上のように、転写型記録方法とは、ドラム１上に、反応液とインクとから成るインク像１３を形成し、そのインク像１３を記録媒体へ転写することによって、画像形成を行う方法である。
【０１０７】
画像形成が続けられる場合、画像信号に応じて上述の動作を繰り返す。画像形成動作を終了し電源を切る場合、各ヒータをOFFにしドラム１の回転を止めたのち、装置の電源をOFFにし、装置動作を終了する。
【０１０８】
本実施形態において、以上のように画像形成動作を行う各記録方法を選択可能とすることによって、多種多様な記録媒体に対して、同一装置で画像形成することができる。
【０１０９】
本実施形態では、各記録方法（記録モード）は、画像供給装置１１０上のＧＵＩダイアログを利用してユーザが自由に決定することができる。ただし、後述するように、記録媒体の表面が粗い（凹凸している）場合は、ユーザが選択した記録方法が転写型記録方法であっても、優先的に直接型記録方法に修正する。
【０１１０】
以下で、本実施形態における各記録方法の決定手順を説明する。  
図４は、本実施形態に係るＧＵＩダイアログの一例を示す模式図である。  
図４において、入力手段によってユーザは、「直接記録」ボタン４０１および「間接記録」ボタン４０２を選択する。ユーザによって「直接記録」ボタン４０１または「間接記録」ボタン４０２のいずれか一方が選択されると、後述するフローチャートに従って最終的な記録方法を決定して、その記録方法に従って画像形成を行う。例えば、同図においては、ユーザによって、「直接記録」ボタン４０１が選択されているので、後述するフローチャートに従って最終的な記録方法を決定することになる。
【０１１１】
本実施形態に係る入力手段は、マウス、タブレットなどの入力装置、スクリーンタッチなどの種々の入力装置から構成されている。
【０１１２】
図５は、本実施形態に係る記録方法の決定手順の一例を示すフローチャートである。  
図５において、Ｓ１００１では、ユーザにより画像形成指示が入力されると、画像供給装置１１０の表示部に図４に例示したＧＵＩダイアログを提示する。
【０１１３】
Ｓ１００２では、Ｓ１００１でユーザに提示されたＧＵＩダイアログにおいて、ユーザが選択した記録方法が、直接記録か間接記録かを判断する。ユーザが直接記録を選択したと判断する場合は、Ｓ１００３へ、ユーザが間接記録を選択したと判断する場合は、Ｓ１００６へ進む。
【０１１４】
Ｓ１００３では、信号処理部１２に対して、紙種検知手段８によって給紙カセット１７に収納された記録媒体１１の表面の形状を測定させる信号を送る。
【０１１５】
Ｓ１００４では、信号処理部１２から紙種検知手段８の検知結果を示す信号を受け取り、その検知結果から給紙カセット１７上の記録媒体１１の紙の種類がインクジェット用記録媒体であるか否かの判断を行う。記録媒体１１がインクジェット用記録媒体であると判断する場合は、Ｓ１００５へ進み、記録媒体１１が普通紙等のように、インクジェット記録媒体でないと判断する場合は、Ｓ１００６へ進む。
【０１１６】
Ｓ１００５では、Ｓ１００４の判断を受けて第１の直接型記録方法で画像形成を行うことを決定し、本手順を終了する。
【０１１７】
Ｓ１００６では、Ｓ１００４の判断を受けて第２の直接型記録方法で画像形成を行うことを決定し、本手順を終了する。
【０１１８】
Ｓ１００７では、信号処理部１２に対して、表面粗さ検知手段９によって給紙カセット１７に収納された記録媒体１１の表面の粗さ（凹凸性）を測定させる信号を送る。
【０１１９】
Ｓ１００８では、信号処理部１２から表面粗さ検知手段９の検知結果を示す信号を受け取り、その検知結果から記録媒体１１の表面が粗いか否か判断する。記録媒体１１の表面が粗いと判断する場合は、Ｓ１００９へ進み、記録媒体１１の表面が粗くないと判断する場合は、Ｓ１０１０へ進む。
【０１２０】
Ｓ１００９では、Ｓ１００８の判断を受けて、第２の直接型記録方法で画像形成を行うことを決定し、本手順を終了する。
【０１２１】
Ｓ１０１０では、Ｓ１００８の判断を受けて、転写型記録方法で画像形成を行うことを決定し、本手順を終了する。
【０１２２】
以上の手順を終了すると、画像供給装置１１０は、決定された記録方法を示す情報を添付した印刷ジョブを、画像形成装置１００に送る。これにより、画像形成装置１００は、印刷ジョブに添付された記録方法に従って画像形成を行う。
【０１２３】
以上のような手順で記録方法を決定するので、例えば、表面が粗い（凹凸している）記録媒体に対して、ユーザが間接記録をすると決定する場合においても、表面粗さ検知手段９にて記録媒体１１の表面の粗さを検知し、その結果に基づいて最適な記録方法を決定するので、高画質な画像を形成することができる。
【０１２４】
以上説明した本実施形態によれば、同一装置内で、直接記録および間接記録によって画像形成を行うことができるため、多種多様な記録媒体に対して高速で高画質な画像を形成するこができる。また、ユーザは、所望の記録媒体に応じた記録方法を自由に選択することができる。
【０１２５】
なお、以上説明した第１の実施形態では、画像供給装置１１０において記録モード（第１の直接型記録モード、第２の直接型記録モード、転写型記録モード等）の決定を行っているが、これに限定されるものではなく、画像形成装置１００側で記録モードの決定を行ってもよい。画像形成装置１００側で記録モードの決定手法として、例えば、画像形成装置１００において記録モード（直接記録ｏｒ間接記録）を選択できる操作部を設け、この操作部にて選択された情報に基づき、画像形成装置１００における信号処理部１２において最終的な記録モード（第１の直接型記録モード、第２の直接型記録モード、転写型記録モード等）の決定を行う形態であってもよい。また、画像供給装置１００上のＧＵＩダイアログを利用したユーザによる記録モード（直接記録ｏｒ間接記録）の選択に基づき、画像形成装置１００における信号処理部１２において最終的な記録モード（第１の直接型記録モード、第２の直接型記録モード、転写型記録モード等）の決定を行う形態であってもよい。
【０１２６】
また、本実施形態では、第１の直接型記録モード、第２の直接型記録モード、転写型記録モードの３種類の記録モードを実行可能な例について説明したが、第２の直接型記録モードと転写型記録モードの２種類の記録モード、あるいは第１の直接型記録モードと転写型記録モードの２種類の記録モードを実行可能な構成としてもよい。第２の直接型記録モードと転写型記録モードの２種類の記録モードを実行可能な構成の場合は、上記Ｓ１００３、Ｓ１００４、Ｓ１００５を不要とすればよい。また、第１の直接型記録モードと転写型記録モードの２種類の記録モードを実行可能な構成の場合は、上記Ｓ１００３、Ｓ１００４、Ｓ１００６を不要とし、Ｓ１００９では第１直接転写を行うようにすればよい。更に、上記３種類の記録モード以外の記録モードを設けるようにしてもよい。このように本実施形態では、直接記録モードと転写記録モードを含む複数の記録モードが実行可能なように構成すればよい。
【０１２７】
以下で、上述した反応液、着色インクおよび記録媒体一例を用いた本実施形態の実施例を具体的に説明する。
【０１２８】
（実施例１）
以下の記載において、部、％とあるものは特に断わらない限り質量基準である。  
本実施例で使用する、反応液は以下のようにして得られた。
【０１２９】
（反応液R１）
下記の成分を混合溶解した後、さらにポアサイズが０．２２μｍのメンブレンフィルター（商品名：フロロポアフィルター、住友電工製）にて加圧濾過し、反応液R1を得た。
＜反応液R１の組成＞
・塩化アルミニウム・６水和物                １５．０部
・シルエットL-７７（日本ユニカー株式会社製）  １．０部
・イオン交換水                                    残部
【０１３０】
次に、下記に述べる様にして、それぞれ、顔料とアニオン性化合物とを含むブラック、シアン、マゼンタ、およびイエローの各色インクである着色顔料インクを得た。
（着色顔料インク）
＜顔料分散液の作製＞
・スチレン-アクリル酸-アクリル酸エチル共重合体
（酸価２４０、重量平均分子量＝５，０００）
１．５部
・モノエタノールアミン                １．０部
・ジエチレングリコール                ５．０部
・イオン交換水                            残部
【０１３１】
上記成分を混合し、ウォーターバスで７０℃に加温し、樹脂分を完全に溶解させた。この溶液に新たに試作されたカーボンブラック（ＭＣＦ８８、三菱化成製）１０部、イソプロピルアルコール１部を加え、３０分間プレミキシングを行った後、下記の条件で分散処理を行った。
・分散機：サンドグラインダー（五十嵐機械製）
・粉砕メディア：ジルコニウムビーズ、１ｍｍ径
・粉砕メディアの充填率：５０％（体積比）
・粉砕時間：３時間
【０１３２】
さらに、遠心分離処理（１２，０００ｒｐｍ．、２０分間）を行い、粗大粒子を除去して顔料分散液とした。
＜着色顔料インクＫ１の作製＞
上記の分散液を使用し、下記の組成比を有する成分を混合し、顔料を含有するインクを作製して着色顔料インクとした。このときの表面張力は３４ｍＮ／ｍであった。
・上記顔料分散液                              ３０．０部
・グリセリン                                  １０．０部
・エチレングリコール                            ５．０部
・Ｎ−メチルピロリドン                          ５．０部
・アセチレノールＥＨ（川研ファインケミカル製）  １．０部
・イオン交換水                                      残部
（着色顔料インクＣ１）
着色顔料インクＫ１の調製の際に使用したカーボンブラック（ＭＣＦ８８、三菱化成製）１０部をピグメントブルー１５に代えたこと以外は、着色顔料インクＫ１の調製と同様にして顔料を含有した着色顔料インクＣ１を調製した。
（着色顔料インクＭ１）
着色顔料インクＫ１の調製の際に使用したカーボンブラック（ＭＣＦ８８、三菱化成製）１０部をピグメントレッド７に代えたこと以外は、着色顔料インクＫ１の調製と同様にして顔料を含有した着色顔料インクＭ１を調製した。
（着色顔料インクＹ１）
着色顔料インクＫ１の調製の際に使用したカーボンブラック（ＭＣＦ８８、三菱化成製）１０部をピグメントイエロー７４に代えたこと以外は、着色顔料インクＫ１の調製と同様にして顔料を含有した着色顔料インクＹ１を調製した。
【０１３３】
以上作成した反応液Ｒ１、各色着色顔料インクを、本実施形態に係る画像形成装置を用い、インク吸収性が低い記録媒体に対して画像形成を行った。ここで用いた記録ヘッド３３は、１２００ｄｐｉの記録密度を有し、駆動条件としては、駆動周波数8ｋＨｚとした。また、１ドットあたりの吐出量は、それぞれ４ｐｌのヘッドを使用した。
【０１３４】
本実施例において、インク吸収性が低い印刷洋紙であるＮｐｉコート紙（日本製紙製）を給紙カセット１７に収納した。収納された記録媒体はインク吸収性が低いので、コンピュータ等の画像供給装置１１０上で、ユーザにより、記録方法として間接記録が選択された。画像形成に先立って、表面粗さ検知手段９によって、記録媒体１１の表面粗さを測定し、その出力が（平滑レベルの出力を明記する）平滑レベルにあったことで、記録方法（記録モード）を転写型記録方法と決定した。
【０１３５】
この決定に基づいて、印刷が開始されると中間転写搬送体１が回転を始め、塗布ローラ３１aが中間転写搬送体１に接触し、反応液R１を厚さ約１μｍ塗布したのち、インクジェット記録ヘッド３３にて着色顔料インクＹ１、Ｍ１、Ｃ１、Ｋ１を順次描画し、ドラム１上にインク像１３を得た。このとき着色顔料インクは、反応液Ｒ１と凝集反応し、ドラム１上にビーディングがない良好な画像を得た。また、色を重ねていっても、すぐに凝集が起こり、ビーディングやブリーディングといった現象は生じずドラム１上に高画質なインク像１３を形成することができた。さらにドラム１上のインク像１３は、インク乾燥処理部５によってインク像１３の溶剤分を蒸発せしめた後、転写部６で、記録媒体１１が搬送ローラ１９ａ、１９ｂによって給紙されドラム１のインク像１３を記録媒体１１に転写し印字物を作成した。作成された印字物は、ビーディングやブリーディングが生じていない高画質なものであった。
【０１３６】
（実施例２）
本実施例において、実施例１で記載した反応液Ｒ１と、顔料インクＫ１、Ｃ１、Ｍ１およびＹ１とを、本実施形態に係る画像形成装置を用いて、インク吸収性が低く、表面が粗い記録媒体に対して画像形成を行った。ここで用いた記録ヘッド３３は、１２００ｄｐｉの記録密度を有し、駆動条件としては、駆動周波数４ｋＨｚとした。また、１ドットあたりの吐出量は、それぞれ４ｐｌのヘッドを使用した。
【０１３７】
本実施例において、インク吸収性の低い印刷洋紙であるOKエンボス梨地（王子製紙製）を給紙カセット１７に収納した。収納された記録媒体はインク吸収性が低いので、コンピュータ等の画像供給装置１１０上で、ユーザにより、記録方法として間接記録が選択された。画像形成に先立って、表面粗さ検知手段９によって、記録媒体１１の表面粗さを測定し、その出力が（平滑レベルの出力を明記する）平滑レベルを超していたので、表面が凹凸していると判断し、記録方法（記録モード）を転写型記録方法と決定した。
【０１３８】
この決定に基づいて、印刷が開始されるとドラム１が回転を始め、塗布ローラ３１ａがドラム１から離れた。給紙が開始されると、分離爪２４により記録媒体１１を、ドラム１上に貼り付け、ドラム１の回転によって反応液塗布部３まで移行したのち、塗布ローラ３１ａが記録媒体１１に接触し、反応液Ｒ１を厚さ約１μｍ塗布したのち、インクジェット記録ヘッド３３にて着色顔料インクＹ１、Ｍ１、Ｃ１、Ｋ１を順次描画した後、記録媒体１１上にインク像１３を得た。このとき着色顔料インクは、反応液Ｒ１と凝集反応し、記録媒体１１上にビーディングがない良好な画像を得た。また、色を重ねていっても、すぐに凝集が起こり、ビーディングやブリーディングといった現象は生じずドラム１上に高画質な画像を形成することができた。さらにドラム１上のインク像１３は、インク乾燥処理部５による送風によってインク像１３の溶剤分を蒸発せしめた印字物を排紙した。作成された印字物は、ビーディングやブリーディングが生じていない高画質なものであった。
【０１３９】
（第２の実施形態）
本実施形態は、紙種検知手段８や表面粗さ検知手段９を用いず、ユーザが直接記録モード（第１直接型記録モード、第１直接型記録モード、転写型記録モード）を決定する点に特徴がある。なお、本実施形態において、画像形成装置は第１の実施形態と同様である部分については、ここでは同じ符号を付すと共に説明は省略し、特徴的な部分のみ説明する。
【０１４０】
図６は、本実施形態に係る記録モードの決定手順の一例を示すフローチャートである。  図６のＳ２００１では、ユーザにより画像形成指示が入力されると、画像供給装置１１０の表示部に図４に例示したＧＵＩダイアログを提示する。Ｓ２００２では、Ｓ２００１でユーザに提示されたＧＵＩダイアログにおいて、ユーザが選択した記録モードが、直接記録か間接記録かを判断する。ユーザが直接記録を選択したと判断する場合は、Ｓ２００３へ、ユーザが間接記録を選択したと判断する場合は、Ｓ２００６へ進む。
【０１４１】
Ｓ２００３では、直接記録モードのうち、第１の直接型記録モードが選択されているか第２の直接記録モードが選択されているかを判断する。第１の直接型記録モードが選択されている場合にはＳ２００４へ進み、Ｓ２００３の判断を受けて第１の直接型記録モードに従って画像形成を行うことを決定し、本手順を終了する。一方、Ｓ２００３において第２の直接型記録モードが選択されている場合にはＳ２００５へ進み、Ｓ２００３の判断を受けて第２の直接型記録モードに従って画像形成を行うことを決定し、本手順を終了する。また、Ｓ２００６では、Ｓ２００２の判断を受けて転写型記録モードに従って画像形成を行うことを決定し、本手順を終了する。
【０１４２】
以上の手順を終了すると、画像供給装置１１０は、決定された記録モードを示す情報を添付した印刷ジョブを、画像形成装置１００に送る。これにより、画像形成装置１００は、印刷ジョブに添付された記録モードに従って画像形成を行う。
【０１４３】
以上のような手順で記録モードを決定するので、ユーザの意図する記録モードに従った画像形成が可能となる。
【０１４４】
以上説明した本実施形態によれば、同一装置内で、直接記録および間接記録によって画像形成を行うことができるため、多種多様な記録媒体に対して高速で高画質な画像を形成するこができる。また、ユーザは、直接記録と間接記録を自由に選択することができる。
【０１４５】
なお、以上説明した第２の実施形態では、画像供給装置１１０において記録モード（第１の直接型記録モード、第２の直接型記録モード、転写型記録モード等）の決定を行っているが、これに限定されるものではなく、画像形成装置１００側で記録モードの決定を行ってもよい。画像形成装置１００側で記録モードの決定手法として、例えば、画像形成装置１００において記録モード（直接記録ｏｒ間接記録）を選択できる操作部を設け、この操作部にて選択された情報に基づき、画像形成装置１００における信号処理部１２において最終的な記録モード（第１の直接型記録モード、第２の直接型記録モード、転写型記録モード等）の決定を行う形態であってもよい。また、画像供給装置１００上のＧＵＩダイアログを利用したユーザによる記録モード（直接記録ｏｒ間接記録）の選択に基づき、画像形成装置１００における信号処理部１２において最終的な記録モード（第１の直接型記録モード、第２の直接型記録モード、転写型記録モード等）の決定を行う形態であってもよい。
【０１４６】
また、本実施形態では、第１の直接型記録モード、第２の直接型記録モード、転写型記録モードの３種類の記録モードを実行可能な例について説明したが、第２の直接型記録モードと転写型記録モードの２種類の記録モード、あるいは第１の直接型記録モードと転写型記録モードの２種類の記録モードを実行可能な構成としてもよい。第２の直接型記録モードと転写型記録モードの２種類の記録モードを実行可能な構成の場合は、上記Ｓ２００３、Ｓ２００４を不要とすればよい。また、第１の直接型記録モードと転写型記録モードの２種類の記録モードを実行可能な構成の場合は、上記Ｓ２００３、Ｓ２００５を不要とすればよい。更に、上記３種類の記録モード以外の記録モードを設けるようにしてもよい。このように本実施形態では、直接記録モードと転写記録モードを含む複数の記録モードが実行可能なように構成すればよい。
【０１４７】
（第３の実施形態）
本実施形態は、ユーザが、所望の記録媒体を指定することによって記録方法（記録モード）を決定するものである。具体的には、画像供給装置１１０上のＧＵＩダイアログを利用して、ユーザが所望の記録媒体を選択し、その選択された記録媒体について、画像供給装置１１０の記憶装置に格納された、多種多様な記録媒体のそれぞれに対して最適な記録方法（記録モード）が示されたテーブルを参照して、ユーザによって選択された記録媒体に最適な記録方法を決定するものである。
【０１４８】
本実施形態において、画像供給装置１１０、画像形成装置の構成は第１の実施形態と同様であるので、同じ符号を付すと共に説明は省略する。また、第１の直接型記録方法、第２の直接型記録方法および転写型記録方法についても第１の実施形態と同様であるので説明は省略する。
【０１４９】
図７は、本実施形態に係るＧＵＩダイアログの一例を示す模式図である。ユーザは、コンピュータ等の画像供給装置１１０上で、図７に示すＧＵＩダイアログを利用して、画像形成を行う記録媒体を選択することができる。
【０１５０】
図７において、用紙の種類を選択する画面に示された記録媒体から、ユーザは入力手段によって所望の記録媒体を選択する。ユーザによって記録媒体が選択されると、画像供給装置１１０上でプリンタドライバが発揮する機能として、記憶装置に格納されている、多種多様な記録媒体のそれぞれに対して最適な記録方法が示されたテーブルを参照し、選択された記録媒体に最適な記録方法を選択する。選択された記録方法を示す情報を印刷ジョブに添付し、その印刷ジョブを信号処理部１２へ送る。信号処理部１２は、印刷ジョブを受け取ると、添付された記録方法を基に画像形成を行う。例えば、同図においては、ユーザによって「インクジェット用ＯＨＰ」７０１が選択されているので、プリンタドライバによって、インクジェット用ＯＨＰに最適な記録方法である第１の直接型記録方法を選択し、信号処理部１２に対して記録方法が第１の直接型記録方法であることを示す情報が添付された印刷ジョブを送る。信号処理部１２は、印刷ジョブに添付された記録方法が第１の直接型記録方法であるという情報を基に、第１の直接型記録方法で画像形成を行う。
【０１５１】
以上説明した本実施形態によれば、同一装置内で、直接記録および間接記録によって画像形成を行うことができるため、多種多様な記録媒体に対して高速で高画質な画像を形成するこができる。また、ユーザは、所望の記録媒体を自由に選択することができる。なお、以上説明した第３の実施形態では、画像供給装置１１０において記録モード（第１の直接型記録モード、第２の直接型記録モード、転写型記録モード等）の決定を行っているが、これに限定されるものではない。画像形成装置１００側で記録モードの決定を行ってもよい。
【０１５２】
画像形成装置１００側で記録モードの決定手法として、例えば、画像形成装置１００において用紙の種類を選択できる操作部を設け、この操作部にて選択された情報に基づき、画像形成装置１００における信号処理部１２において最終的な記録モード（第１の直接型記録モード、第２の直接型記録モード、転写型記録モード等）の決定を行う形態であってもよい。また、画像供給装置１００上のＧＵＩダイアログを利用したユーザによる用紙の種類の選択に基づき、画像形成装置１００における信号処理部１２において最終的な記録モード（第１の直接型記録モード、第２の直接型記録モード、転写型記録モード等）の決定を行う形態であってもよい。
【０１５３】
また、本実施形態では、第１の直接型記録モード、第２の直接型記録モード、転写型記録モードの３種類の記録モードを実行可能な例について説明したが、第２の直接型記録モードと転写型記録モードの２種類の記録モード、あるいは第１の直接型記録モードと転写型記録モードの２種類の記録モードを実行可能な構成としてもよい。更に、上記３種類の記録モード以外の記録モードを設けるようにしてもよい。このように本実施形態では、直接記録モードと転写記録モードを含む複数の記録モードが実行可能なように構成すればよい。
【図面の簡単な説明】
【０１５４】
【図１】本発明の一実施形態に係る画像形成装置の断面図である。
【図２】本発明の一実施形態に係る紙種検知手段の断面図である。
【図３】本発明の一実施形態に係る信号処理部の構成を示す概略ブロック図である。
【図４】本発明の一実施形態に係るＧＵＩダイアログの一例を示す模式図である。
【図５】本発明の一実施形態に係る信号処理部を用いた記録方法決定手順の一例を示すフローチャートである。
【図６】本発明の一実施形態に係る記録方法決定手順を示すフローチャートである。
【図７】本発明の一実施形態に係るＧＵＩダイアログの一例を示す模式図である。
【符号の説明】
【０１５５】
１    ドラム
２    記録媒体分離部
３    反応液塗布部
４    インク付与部
５    インク乾燥処理部
６    転写部
７    クリーニング部
８    紙種検知手段
９    表面粗さ検知手段
１０    装置外装筐体
１１    記録媒体
１２    信号処理部
１３    インク像
１４    支持体
１５ａ、１５ｂ    表面層
１６    加熱ヒータ
１７    給紙カセット
１８    給紙ローラ
１９ａ、１９ｂ    搬送ローラ
２０ａ、２０ｂ、２１ａ、２１ｂ    搬送ガイド
２２ａ、２２ｂ    排紙ローラ
２３    排紙カセット
２４    分離爪
２５    ＬＥＤ
２６    集光レンズ
２７ａ、２７ｂ    受光素子
２８    センサ外装
２９    反応液
３０    塗布容器
３１ａ、３１ｂ、３１ｃ    塗布ローラ
３２    インク
３３ａ、３３ｂ、３３ｃ、３３ｄ    記録ヘッド
３４    ファン
３５    転写ローラ
３６    クリーニング液
３７    クリーニング液保持部材
３８    クリーニング液供給ローラ
３９    ドラムクリーニングローラ
４０１    「直接記録」ボタン
４０２    「間接記録」ボタン
７０１    インクジェット用ＯＨＰ
【図１】
2005153188.tif 000003
【図２】
2005153188.tif 000004
【図３】
2005153188.tif 000005
【図４】
2005153188.tif 000006
【図５】
2005153188.tif 000007
【図６】
2005153188.tif 000008
【図７】
2005153188.tif 000009